(57)【要約】【課題】  構造が簡単で組み立てや小型化が容易であり、製造コストを低く抑えながら、圧電素子を複雑に振動させることによりＬＥＤの多様な光り方を可能にする光るルアー、水中集魚灯、および電気ウキを提供すること。【解決手段】  光るルアーにおいて、板状の圧電素子１０と、圧電素子１０によって供給される電力よって発光するように圧電素子１０と電気的に接続された少なくとも１個のＬＥＤ２０と、圧電素子１０およびＬＥＤ２０群からなる電気回路を被覆する弾性部材からなるカバー４０であって、少なくとも圧電素子１０の一部を覆う第１の部分は、ＬＥＤ群を覆う第２の部分よりも薄くなっているカバー４０とを備えたことを特徴とする。【選択図】  図２
0003114404.tif 000002
【実用新案登録請求の範囲】
【請求項１】
板状の圧電素子と、
前記圧電素子によって供給される電力よって発光するように前記圧電素子と電気的に接続された少なくとも１個のＬＥＤと、
前記圧電素子および前記ＬＥＤ群からなる電気回路を被覆する弾性部材からなるカバーであって、少なくとも前記圧電素子の一部を覆う第１の部分は、前記ＬＥＤ群を覆う第２の部分よりも薄くなっているカバーと
を備えたことを特徴とする光るルアー。
【請求項２】
請求項１に記載の光るルアーであって、頭部を含むルアー魚体前部と尾部を含むルアー魚体後部とに分割されたルアー魚体であって、前記ルアー魚体前部および前記ルアー魚体後部の少なくともどちらか一方には前記ＬＥＤの発する光が外部に透過可能な透過部が設けられ、前記電気回路を内蔵した前記カバーにより、前記ルアー魚体前部と前記ルアー魚体後部とが接続されるルアー魚体を備えたことを特徴とする光るルアー。
【請求項３】
板状の圧電素子と、
前記圧電素子によって供給される電力よって発光するように前記圧電素子と電気的に接続された少なくとも１個のＬＥＤと、
前記圧電素子および前記ＬＥＤ群からなる電気回路を被覆する弾性部材からなるカバーであって、少なくとも前記圧電素子の一部を覆う部分は窪んでおり、少なくとも前記圧電素子の板面の一方の面側の窪みと他方の面側の窪みとは深さが異なるように成形されたカバーと
を備えたことを特徴とする光るルアー。
【請求項４】
板状の圧電素子と、
前記圧電素子によって供給される電力よって発光するように前記圧電素子と電気的に接続された少なくとも１個のＬＥＤと、
前記圧電素子および前記ＬＥＤ群からなる電気回路を被覆する弾性部材からなるカバーであって、少なくとも前記圧電素子の一部を覆う部分にはＶ字の切れ込みが入れられたカバーと
を備えたことを特徴とする光るルアー。
【請求項５】
板状の圧電素子と、
前記圧電素子によって供給される電力よって発光するように接続された複数のＬＥＤと、
前記圧電素子および前記ＬＥＤ群からなる電気回路を被覆した弾性部材からなるカバーであって、少なくとも前記圧電素子の一部を覆う部分は窪んでおり、前記圧電素子の一方の面側の第１の窪みと他方の面側の第２の窪みとは深さが異なるように成形されたカバーと、
第１および第２の窪みのいずれか一方の縁に取り付けられた水中抵抗板と
を備えたことを特徴とする集魚ライト。
【請求項６】
板状の圧電素子と、
前記圧電素子によって供給される電力よって発光するように前記圧電素子と電気的に接続された少なくとも１個のＬＥＤと、
前記圧電素子および前記ＬＥＤ群からなる電気回路を被覆した弾性部材からなる棒ウキ型のカバーであって、少なくとも前記圧電素子の一部を覆う部分は窪んでいる棒ウキ型のカバーと、
前記棒ウキを水面に浮かしたときに水面上に出ている側の先端に取り付けられた錘と
を備えたことを特徴とする電気ウキ。
【請求項７】
複数の板状の圧電素子と、
前記圧電素子によって供給される電力よって発光するように前記圧電素子と電気的に接続された少なくとも１個のＬＥＤと、
前記圧電素子および前記ＬＥＤ群からなる電気回路を被覆した弾性部材からなる棒ウキ型のカバーであって、少なくとも前記圧電素子の一部を覆う部分は窪んでいる棒ウキ型のカバーと、
前記圧電素子が組み込まれた振動板であって、一端を前記棒ウキを水面に浮かしたときに水面上に出ている側の先端に取り付けられ、および他端に錘を取り付けられた振動板と
を備えたことを特徴とする電気ウキ。
【請求項８】
板状の圧電素子と、
前記圧電素子によって供給される電力よって発光するように前記圧電素子と電気的に接続された少なくとも１個のＬＥＤと、
頭部を含むルアー魚体前部と尾部を含むルアー魚体後部とに分割されたルアー魚体であって、前記ルアー魚体前部および前記ルアー魚体後部の少なくともどちらか一方には前記ＬＥＤ群が配置されたルアー魚体と、
前記ルアー魚体前部と前記ルアー魚体後部とを屈曲可能に接続するヒンジと、
前記ルアー魚体前部内の前記ヒンジに取り付けられた前記圧電素子が組み込まれた振動板と、
前記ルアー魚体前部内に設けられた前記振動板の振幅を制限する小片と
を備えたことを特徴とする光るルアー。
【請求項９】
板状の圧電素子と、
前記圧電素子によって供給される電力よって発光するように前記圧電素子と電気的に接続された少なくとも１個のＬＥＤと、
頭部を含むルアー魚体前部と尾部を含むルアー魚体後部とに分割されたルアー魚体であって、前記ルアー魚体前部および前記ルアー魚体後部の少なくともどちらか一方には前記ＬＥＤ群が配置されたルアー魚体と、
前記ルアー魚体前部と前記ルアー魚体後部とを接続する連結部であって、前記圧電素子を内蔵する弾性部材からなり、前記ルアー魚体よりも薄い連結部と
を備えたことを特徴とする光るルアー。
【請求項１０】
板状の圧電素子と、
前記圧電素子によって供給される電力よって発光するように前記圧電素子と電気的に接続された少なくとも１個のＬＥＤと、
板片前部と、
前記ＬＥＤ群が取り付けられた板片後部と、
前記圧電素子を内蔵する弾性部材からなり、前記板片前部と前記板片後部とを接続する連結部と
を備えたことを特徴とする光るルアー。
【考案の詳細な説明】
【技術分野】
【０００１】
本考案は、振動力発電を利用した光るルアーに関する。
【背景技術】
【０００２】
従来の発光機能を有するルアーの電源としては、リチウム電池等の１次電池、太陽電池と２次電池との組み合わせ、ルアーの動きを利用して発電する圧電素子等がある。
【０００３】
圧電素子を電源として用いる光るルアーは、ルアーの動きによって生じる振動によりルアーに内蔵した圧電素子が振動し、発電する。例えば、釣り人の釣竿を動かす動作や、リールを巻く動きによってルアーに振動が生じる。ルアーに内蔵した圧電素子には任意の色、数の発光ダイオード（ＬＥＤ）が複数取り付けられており、上記圧電素子に電気的に接続されている。そのため、ルアーに生じた振動により発電した電力でＬＥＤを光らせることができる。このとき、釣竿を細かく動かすこと等によりパルス的に強い光を出すことができる。このパルスの光はルアーの動きと連動しているため、本物の魚の鱗が光を反射させるときのように、ＬＥＤを不規則に点滅させることができる。また、電池交換や充電操作を必要としないため取り扱いが簡易である。
【考案の開示】
【考案が解決しようとする課題】
【０００４】
しかしながら、圧電素子の振動の仕方が単調なため、ＬＥＤを複雑に点滅させるには別個の電気回路を必要とし、構造が複雑になるので、製造コストがかさむという問題があった。
【０００５】
本考案の目的は、構造が簡単で組み立てや小型化が容易であり、製造コストを低く抑えながら、圧電素子を複雑に振動させることによりＬＥＤの多様な光り方を可能にする光るルアー、水中集魚灯、および電気ウキを提供することにある。
【課題を解決するための手段】
【０００６】
本考案は、このような目的を達成するために、請求項１に記載の考案は、光るルアーにおいて、板状の圧電素子と、圧電素子によって供給される電力よって発光するように圧電素子と電気的に接続された少なくとも１個のＬＥＤと、圧電素子およびＬＥＤ群からなる電気回路を被覆する弾性部材からなるカバーであって、少なくとも圧電素子の一部を覆う第１の部分は、ＬＥＤ群を覆う第２の部分よりも薄くなっているカバーとを備えたことを特徴とする。
【０００７】
請求項２に記載の考案は、請求項１に記載の光るルアーであって、頭部を含むルアー魚体前部と尾部を含むルアー魚体後部とに分割されたルアー魚体であって、ルアー魚体前部およびルアー魚体後部の少なくともどちらか一方にはＬＥＤの発する光が外部に透過可能な透過部が設けられ、電気回路を内蔵したカバーにより、ルアー魚体前部とルアー魚体後部とが接続されるルアー魚体を備えたことを特徴とする。
【０００８】
請求項３に記載の考案は、光るルアーにおいて、板状の圧電素子と、圧電素子によって供給される電力よって発光するように圧電素子と電気的に接続された少なくとも１個のＬＥＤと、圧電素子およびＬＥＤ群からなる電気回路を被覆する弾性部材からなるカバーであって、少なくとも圧電素子の一部を覆う部分は窪んでおり、少なくとも圧電素子の板面の一方の面側の窪みと他方の面側の窪みとは深さが異なるように成形されたカバーとを備えたことを特徴とする。
【０００９】
請求項４に記載の考案は、光るルアーにおいて、板状の圧電素子と、圧電素子によって供給される電力よって発光するように圧電素子と電気的に接続された少なくとも１個のＬＥＤと、圧電素子およびＬＥＤ群からなる電気回路を被覆する弾性部材からなるカバーであって、少なくとも圧電素子の一部を覆う部分にはＶ字の切れ込みが入れられたカバーとを備えたことを特徴とする。
【００１０】
請求項５に記載の考案は、集魚ライトにおいて、板状の圧電素子と、圧電素子によって供給される電力よって発光するように接続された複数のＬＥＤと、圧電素子およびＬＥＤ群からなる電気回路を被覆した弾性部材からなるカバーであって、少なくとも圧電素子の一部を覆う部分は窪んでおり、圧電素子の一方の面側の第１の窪みと他方の面側の第２の窪みとは深さが異なるように成形されたカバーと第１および第２の窪みのいずれか一方の縁に取り付けられた水中抵抗板とを備えたことを特徴とする。
【００１１】
請求項６に記載の考案は、電気ウキにおいて、板状の圧電素子と、圧電素子によって供給される電力よって発光するように圧電素子と電気的に接続された少なくとも１個のＬＥＤと、圧電素子およびＬＥＤ群からなる電気回路を被覆した弾性部材からなる棒ウキ型のカバーであって、少なくとも圧電素子の一部を覆う部分は窪んでいる棒ウキ型のカバーと、棒ウキを水面に浮かしたときに水面上に出ている側の先端に取り付けられた錘とを備えたことを特徴とする。
【００１２】
請求項７に記載の考案は、電気ウキにおいて、複数の板状の圧電素子と、圧電素子によって供給される電力よって発光するように圧電素子と電気的に接続された少なくとも１個のＬＥＤと、圧電素子およびＬＥＤ群からなる電気回路を被覆した弾性部材からなる棒ウキ型のカバーであって、少なくとも圧電素子の一部を覆う部分は窪んでいる棒ウキ型のカバーと、圧電素子が組み込まれた振動板であって、一端を棒ウキを水面に浮かしたときに水面上に出ている側の先端に取り付けられ、および他端に錘を取り付けられた振動板と、を備えたことを特徴とする。
【００１３】
請求項８に記載の考案は、光るルアーにおいて、板状の圧電素子と、圧電素子によって供給される電力よって発光するように圧電素子と電気的に接続された少なくとも１個のＬＥＤと、頭部を含むルアー魚体前部と尾部を含むルアー魚体後部とに分割されたルアー魚体であって、ルアー魚体前部およびルアー魚体後部の少なくともどちらか一方にはＬＥＤ群が配置されたルアー魚体と、ルアー魚体前部とルアー魚体後部とを屈曲可能に接続するヒンジと、ルアー魚体前部内のヒンジに取り付けられた圧電素子が組み込まれた振動板と、ルアー魚体前部内に設けられた振動板の振幅を制限する小片とを備えたことを特徴とする。
【００１４】
請求項９に記載の考案は、光るルアーにおいて、板状の圧電素子と、圧電素子によって供給される電力よって発光するように圧電素子と電気的に接続された少なくとも１個のＬＥＤと、頭部を含むルアー魚体前部と尾部を含むルアー魚体後部とに分割されたルアー魚体であって、ルアー魚体前部およびルアー魚体後部の少なくともどちらか一方にはＬＥＤ群が配置されたルアー魚体とルアー魚体前部とルアー魚体後部とを接続する連結部であって、圧電素子を内蔵する弾性部材からなり、ルアー魚体よりも薄い連結部とを備えたことを特徴とする。
【００１５】
請求項１０に記載の考案は、光るルアーにおいて、板状の圧電素子と、圧電素子によって供給される電力よって発光するように圧電素子と電気的に接続された少なくとも１個のＬＥＤと、板片前部と、ＬＥＤ群が取り付けられた板片後部と、圧電素子を内蔵する弾性部材からなり、板片前部と板片後部とを接続する連結部とを備えたことを特徴とする。
【考案の効果】
【００１６】
本考案によれば、ルアー魚体の動きと圧電素子の動きを直接的に連動させることにより、圧電素子とＬＥＤとからなる最小限の電気回路を用いて複雑で多様なＬＥＤの光り方が可能となる。
【考案を実施するための最良の形態】
【００１７】
図１（ａ）、（ｂ）に、本考案の実施形態に係る光るルアー、集魚ライト、電気ウキに用いる電気回路例を示す。図１（ａ）の電気回路は、圧電素子１０に対し、逆向きの２つのＬＥＤ２０が並列に接続されている。図１（ｂ）の電気回路は、並列に接続された逆向きの２つのＬＥＤ２０と抵抗３０とが直列に接続されている。抵抗３０によって、ＬＥＤ２０にかかる電圧の大きさを調整することができる。図１（ａ）、（ｂ）に示す電気回路では、圧電素子１０が振動して発電し、その発電出力がＬＥＤ２０に供給されると、その発電出力がＬＥＤ２０の障壁電圧以上の出力電圧を有する場合、必ずどちらか一方のＬＥＤ２０が点灯する。つまり、ＬＥＤ２０が光を発するのは圧電素子１０に振動等の一定の圧力が加わったときだけであるので、圧電素子１０に加わる圧力に応じてＬＥＤ２０は点滅する。
【００１８】
図１（ａ）、（ｂ）に示した電気回路ではＬＥＤを２つだけ示すが、この電気回路には、圧電素子１０から生じる発電出力により各ＬＥＤ２０の障壁電圧以上の電圧をかけられる範囲において、任意の数のＬＥＤ２０を接続することができる。また、以下の実施形態１〜８において用いる圧電素子１０は、ピエゾフィルムや圧電バイモルフ等の板状の圧電素子を用いる。
【００１９】
（実施形態１）
図２（ａ）、（ｂ）に、本考案の実施形態１に係る光るルアーで用いる発光モジュールを示す。図２（ａ）は、圧電素子１０の長手方向の両端にそれぞれ６個のＬＥＤが笠状に広がって配置された電気回路を、少なくとも圧電素子１０の一部の周囲を覆う部材が適度な弾性を有する部材からなるカバー４０で囲まれた発光モジュールである。ここで用いる電気回路は、図１（ａ）、（ｂ）に示す電気回路に１０個のＬＥＤ２０を電気的に接続したものである。カバー４０の両端部４０−１、４０−３は、ＬＥＤ２０の少なくとも一部をカバー４０の外側に突出させるように形成されている。カバー４０の中央部の厚みは、カバー４０の両端部４０−１、４０−３に比べて薄い窪み４０−２が形成されている。この発光モジュールは、長手方向の長さ（全長）が約５０ｍｍ、長手方向に対して垂直な方向の長さ（全幅）が約１５ｍｍである。本明細書内では、長手方向の長さを全長、長手方向に対して垂直な方向の長さを全幅とする。
【００２０】
図２（ｃ）、（ｄ）に、本考案の実施形態１に係る光るルアーの断面および側面を示す。発光モジュールを、内部が空洞になっているルアー魚体５０−ａ、５０−ｂに、圧電素子１０の板面がルアー魚体５０−ａ、５０−ｂの側面を向くように組み込まれた光るルアーである。本明細書内では、圧電素子１０の板面が向いている方向をルアーの側面とする。ここで板面とは、最も面積の大きい２つの面を指す。ルアー魚体５０−ａ、５０−ｂは、金具を有する口部から胴体中央部付近までのルアー魚体前部５０−ａと、胴体中央部付近から尾部までのルアー魚体後部５０−ｂとに分かれているが、発光モジュールによって連結される。ルアー魚体前部５０−ａとルアー魚体後部５０−ｂとの間には一定の間隙を設け、ルアー魚体５０−ａ、５０−ｂがそれぞれ別個に動くことにより、圧電素子１０は屈曲可能にされている。またルアー魚体前部５０−ａおよびルアー魚体後部５０−ｂは、ＬＥＤ２０の発する光が透過可能な部材からできている。但し、ルアー魚体前部５０−ａおよびルアー魚体後部５０−ｂの一部にのみ光が透過可能な部材からなる光透過部を設けてもよい。なこの光るルアーは、全長が約８０ｍｍ、全幅が約２０〜２５ｍｍである。
【００２１】
（実施形態２）
図３（ａ）、（ｂ）に、本考案の実施形態２に係る光るルアーの断面および側面を示す。ここで用いる電気回路は、図１（ａ）、（ｂ）に示す電気回路に１０個のＬＥＤ２０を電気的に接続したものであり、少なくとも圧電素子１０の一部の周囲を覆う部材が適度な弾性を有する部材からなるカバー４１で囲まれている。このカバー４１内の電気回路は、圧電素子１０を挟んで両側に６個ずつ配置されたＬＥＤ２０が発電素子１０の板面に対して非対称に配置されている。但し、必ずしも電気回路が上記のように非対称に配置されている必要はない。カバー４１は、その電気回路の配置に合わせて非対称に成形されている。カバー４１の中央付近の厚みは、水圧による抵抗を受け易くして圧電素子１０を屈曲し易くするため、両端部４１−１、４１−３に比べて薄くされることによって窪み４１−２が形成されている。一方の側面の窪み４１−２の深さｌ１は約５ｍｍ、他方の側面の窪み４１−２の深さｌ２は約２ｍｍである。カバー４１は、ＬＥＤ２０の発する光が透過可能な部材からできている。但し、カバー４１の一部にのみ光が透過可能な部材からなる光透過部を設けてもよい。また、カバー４１の端部４１−１には金具が取り付けられている。この光るルアーは、全長が約３０〜８０ｍｍ、全幅は約１０〜１５ｍｍである。
【００２２】
（実施形態３）
図４（ａ）、（ｂ）に、本考案の実施形態３に係る光るルアーを示す。ここで用いる電気回路は、図１（ａ）、（ｂ）に示す電気回路に１０個のＬＥＤ２０を電気的に接続したものであり、少なくとも圧電素子１０の一部の周囲を覆う部材が適度な弾性を有する部材からなるカバー４２で囲まれている。ＬＥＤ２０を覆っている両端部４２−１、４２−３の間に、水圧による抵抗を受け易くして圧電素子１０が屈曲し易くなるために、両側面に深さが約２ｍｍ、幅が約５ｍｍのＶ字の切れ込み４２−２が設けられている。このカバー４１内の電気回路は、圧電素子１０を挟んで両側に６個ずつ配置されたＬＥＤ２０が発電素子１０の板面に対して対称に配置されている。カバー４２は、ＬＥＤ２０の発する光が透過可能な部材を使用し、電気回路の配置に合わせて対称に成形されている。但し、カバー４２の一部にのみ光が透過可能な部材からなる光透過部を設けてもよい。またカバー４２の端部４２−１には金具が取り付けられ、端部４２−３には尾鰭７０がヒンジ６０等により圧電素子１０と同一方向に屈曲可能に取り付けられている。この光るルアーは、全長が約３０〜８０ｍｍ、全幅が約１０〜１５ｍｍである。
【００２３】
（実施形態４）
図５に、本考案の実施形態４に係る集魚ライトを示す。ここで用いる電気回路は、図１（ａ）、（ｂ）に示す電気回路に１０個のＬＥＤ２０を電気的に接続したものであり、少なくとも圧電素子１０の一部の周囲を覆う部材が適度な弾性を有する部材からなるカバー４３で囲まれている。このカバー４３内の電気回路は、圧電素子１０の板面に対して非対称に配置されている。カバー４３は、その電気回路の配置に合わせて非対称に成形されている。カバー４３の中央付近の厚みは、水圧による抵抗を受け易くするため、両端部４３−１、４３−３に比べて薄くされることによって窪み４３−２が形成されている。一方の側面の窪み４３−２の深さは約５ｍｍ、他方の側面の窪み４３−２の深さは約２ｍｍである。カバー４３の両端部４３−１、４３−３は、ＬＥＤ２０の少なくとも一部をカバー４３の外側に突出させるように形成されている。またカバー４３の深さが５ｍｍの側の窪み４３−２の縁には、長さｌ７が約５ｍｍの水中抵抗板８０がその板面を長手方向に向くように圧電素子１０に対して垂直に取り付けられている。これにより、水中での上下の動きに対して水圧による抵抗を受け易くして圧電素子１０を屈曲し易くしている。この集魚ライトは、全長が約３０〜８０ｍｍ、全幅が約１０ｍｍであり、カバー４３の圧電素子１０の配置された板面部分の一方の窪み４３−２の深さｌ５が約５ｍｍ、他方の窪み４３−２の深さｌ６が約２ｍｍである。
【００２４】
（実施形態５）
図６（ａ）、（ｂ）に、本考案の実施形態５に係る電気ウキを示す。図６（ａ）、（ｂ）は、ここで用いる電気回路は、図１（ａ）、（ｂ）に示す電気回路に１０個のＬＥＤ２０を電気的に接続したものであり、少なくとも圧電素子１０の一部の周囲を覆う部材が適度な弾性を有する部材からなる棒ウキ型のカバー４４で囲まれている。このカバー４４内の電気回路は、圧電素子１０を挟んで両側に６個ずつ配置されたＬＥＤ２０が発電素子１０の板面に対して対称に配置されている。カバー４４は、その電気回路の配置に合わせて対称に成形されている。胴体部に窪み４４−２を有する棒ウキ型のカバー４４は、圧電素子１０の板面に関して対称に成形されている。カバー４４は、ＬＥＤ２０の発する光が透過可能な部材からできている。但し、カバー４４の一部にのみ光が透過可能な部材からなる光透過部を設けてもよい。胴体部の窪み４４−２の少なくとも一部は、水面に浮かしたとき水面上に出る位置に形成されている。
【００２５】
図６（ａ）は、この電気ウキを水面に浮かべたとき水面上に出ている方の端部４４−１に錘９０が取り付けられている。錘９０には質量に応じた慣性抵抗が働くので、錘９０を中心とした回転運動を生じ易くなり、圧電素子１０が屈曲し易くなる。
【００２６】
図６（ａ）の電気ウキは、全長が約１００〜２５０ｍｍ、全幅が約１０ｍｍ、窪み４４−２の深さが３．５ｍｍである。
【００２７】
図６（ｂ）は、この電気ウキを水面に浮かべたとき水面上に出ている方の端部４４−１に、カバー４４の長手方向に対して垂直に振動板１００が取り付けられている。振動板１００の取り付けられた側の端付近には圧電素子１０が組み込まれており、もう一方の自由端には錘８０が取り付けられている。振動板１００に組み込まれた圧電素子１０は、ＬＥＤ２０と電気的に接続されている。釣り合いを取って電気ウキが水面に対して垂直に浮けるように、振動板１００が複数取り付けられている。
【００２８】
図６（ｂ）の電気ウキは、全長が約１００〜２５０ｍｍ、全幅が約２０ｍｍ、窪みの深さが３．５ｍｍである。
【００２９】
（実施形態６）
図７に、本考案の実施形態６に係る光るルアーを示す。ルアー魚体前部５１−ａおよびルアー魚体後部５１−ｂは、内部にＬＥＤ２０が取り付けられ、ＬＥＤ２０の発する光が透過可能な部材からできている。但し、ルアー魚体前部５１−ａおよびルアー魚体後部５１−ｂの一部にのみ光が透過可能な部材からなる光透過部を設けてもよい。ルアー魚体前部５１−ａとルアー魚体後部５１−ｂとは、ヒンジ６０で連結されている。ルアー魚体前部５１−ａとルアー魚体後部５１−ｂとが接する面の間には、ルアー魚体前部５１−ａとルアー魚体後部５１−ｂとがヒンジ６０によって屈曲可能なように間隙が設けられている。
【００３０】
圧電素子１０が組み込まれた振動板１０１は、板面がルアー魚体５１の側面を向くように、ルアー魚体後部５１−ｂ側のヒンジ６０に取り付けられている。ルアー魚体前部５１−ａの内部には、振動板１０１の振幅を制限する小片１１０が設けられている。これにより振動板１０１は、ルアー魚体後部５１−ｄの動きに合わせた細かな振動が可能になる。圧電素子１０と各ＬＥＤ２０とはそれぞれ電気的に接続され、図１（ａ）、（ｂ）に示す電気回路に６個のＬＥＤ２０を電気的に接続した電気回路を構成している。
【００３１】
（実施形態７）
図８に、本考案の実施形態７に係る光るルアーを示す。ルアー魚体５２−ａおよび５２−ｂは、内部にＬＥＤ２０が取り付けられ、ＬＥＤ２０の発する光が透過可能な部材からできている。但し、ルアー魚体前部５２−ａおよびルアー魚体後部５２−ｂの一部にのみ光が透過可能な部材からなる光透過部を設けてもよい。ルアー魚体前部５２−ａとルアー魚体後部５２−ｂとが、適度な弾性を有する部材５２−ｃによって被覆された圧電素子１０によって連結されている。圧電素子１０と各ＬＥＤ２０とはそれぞれ電気的に接続され、図１（ａ）、（ｂ）に示す電気回路に６個のＬＥＤ２０を電気的に接続した電気回路を構成している。ルアー魚体前部４−ｅの先端には金具が取り付けてある。
【００３２】
（実施形態８）
図９に、本考案の実施形態８に係る光るルアーを示す。この光るルアーは、金具を有する板片５３−ａとＬＥＤ２０が板面に取り付けらた板片５３−ｂとが、適度な弾性を有する部材５３−ｃによって被覆された圧電素子１０によって連結されている。圧電素子１０と各ＬＥＤ２０とはそれぞれ電気的に接続され、図１（ａ）、（ｂ）に示す電気回路を構成している。
【００３３】
本発明の実子形態に係る光るルアー、水中集魚灯、および電気ウキは、圧電素子１０を覆う部分の厚みを、ＬＥＤ２０を覆う部分の厚みに対して薄くすることにより、水圧による抵抗を受け易くされている。これにより本発明の実子形態に係る光るルアー、水中集魚灯、および電気ウキは、ルアーの複雑な動きを生じさせ、この複雑なルアーの動きによって直接的に圧電素子１０を屈曲させて発電させることにより、多様なＬＥＤ２０の点滅を可能とされている。また、最小限の電気回路を用いるため、部品点数が減り、組み立て、小型化が容易になり、かつ製造コストが低く抑えられる。
【図面の簡単な説明】
【００３４】
【図１】（ａ）、（ｂ）は、本考案の実施形態に係る電気回路例を示す図である。
【図２】（ａ）、（ｂ）は、本考案の実施形態１に係る光るルアーに用いる発光モジュールを示し、（ｃ）は、本考案の実施形態１に係る光るルアーの断面を示し、（ｄ）は、本考案の実施形態１に係る光るルアーの側面を示す図である。
【図３】本考案の実施形態２に係る光るルアーを示す図である。
【図４】本考案の実施形態３に係る光るルアーを示す図である。
【図５】本考案の実施形態４に係る集魚ライトを示す図である。
【図６】（ａ）、（ｂ）は、本考案の実施形態５に係る電気ウキを示す図である。
【図７】本考案の実施形態６に係る光るルアーを示す図である。
【図８】本考案の実施形態７に係る光るルアーを示す図である。
【図９】本考案の実施形態８に係る光るルアーを示す図である。
【符号の説明】
【００３５】
１０  圧電素子
２０  ＬＥＤ
３０  抵抗
４０〜４４  カバー
４０−１〜４４−１、４０−３〜４４−３  端部
４０−２、４１−２、４３−２、４４−２  窪み
４２−２  Ｖ字の切れ込み
５０−ａ〜５２−ａ  ルアー魚体前部
５０−ｂ〜５２−ｂ  ルアー魚体後部
６０  ヒンジ
７０  尾鰭
８０  水中抵抗板
９０  錘
１００、１０１  振動板
１１０  小片
【図１】
0003114404.tif 000003
【図２】
0003114404.tif 000004
【図３】
0003114404.tif 000005
【図４】
0003114404.tif 000006
【図５】
0003114404.tif 000007
【図６】
0003114404.tif 000008
【図７】
0003114404.tif 000009
【図８】
0003114404.tif 000010
【図９】
0003114404.tif 000011